(57)【要約】【課題】操作性、視認性を向上させるようにした加熱調理器の操作パネルを提供する。【解決手段】第一の入力手段１と、ダイアル外周部の回転により入力する第二の入力手段２と、第二の入力手段役割表示部７と、第二の入力手段役割表示照明部８と、ダイアル外周部の回転により入力する第三の入力手段３と、第三の入力手段役割表示部９と、第三の入力手段役割表示照明部１０と、スタートキー５と、１つの調理方法を選択するメニューキー１３とを有し、第二の入力手段２のダイヤル中央部にメニューキー１３を配置し、第三の入力手段３のダイヤル中央部にスタートキー５を配置することで、第二および第三の入力手段２，３のダイヤル中央部をキースペースとして有効に使用でき、ダイヤル中央部以外に配置していたキーを減らせるため、ダイヤルおよび他のキーや文字の大きさを大きくでき、操作に伴う手の移動量も少なくでき、操作性・視認性の向上が図れる。【選択図】図１
2006138546.tif 000002
【特許請求の範囲】
【請求項１】
複数の調理方法を選択する第一の入力手段と、ダイアル外周部の回転により調理出力設定や調理温度設定を入力する第二の入力手段と、ダイアル外周部の回転により調理仕上がり設定や調理時間設定などを入力する第三の入力手段と、調理開始を指示するスタートキーとを有し、第三の入力手段のダイヤル中央部にスタートキーを配置した加熱調理器の操作パネル。
【請求項２】
１つの調理方法を選択するメニューキーを、第二の入力手段のダイヤル中央部に配置した請求項１に記載の加熱調理器の操作パネル。
【請求項３】
第二の入力手段にて入力する複数の役割を表示する第二の入力手段役割表示部と、複数の役割それぞれに対応した第二の入力手段役割表示照明部と、第三の入力手段にて入力する複数の役割を表示する第三の入力手段役割表示部と、複数の役割それぞれに対応した第三の入力手段役割表示照明部とを有し、第二の入力手段役割表示部と第二の入力手段役割表示照明部を第二の入力手段の近傍に配し、第三の入力手段役割表示部と第三の入力手段役割表示照明部を第三の入力手段の近傍に配して、第一の入力手段で選択した調理方法に応じた第二、第三の入力手段の役割を表示させるようにした請求項１または２に記載の加熱調理器の操作パネル。
【請求項４】
第二の入力手段のダイヤル中央部に第二の入力手段役割表示部と第二の入力手段役割表示照明部を配置し、第三の入力手段のダイヤル中央部に第三の入力手段役割表示部と第三の入力手段役割表示照明部を配置した請求項３に記載の加熱調理器の操作パネル。
【請求項５】
第一、第二、第三の入力手段から入力された調理情報を表示する表示手段を有し、操作パネルの左から右に第一の入力手段、第二の入力手段、表示手段、第三の入力手段を配した請求項１から４いずれか１項に記載の加熱調理器の操作パネル。
【請求項６】
第二および第三の入力手段役割表示を、表示手段にて表示・非表示させるようにした請求項５に記載の加熱調理器の操作パネル。
【請求項７】
第二の入力手段のダイヤル近傍を照明する第二の入力手段ダイヤル照明部と、第三の入力手段のダイヤル近傍を照明する第三の入力手段ダイヤル照明部とを有し、第二の入力手段役割表示照明部の点灯に応じて第二の入力手段ダイヤル照明部を点灯させ、第三の入力手段役割表示照明部の点灯に応じて第三の入力手段ダイヤル照明部を点灯させるようにした請求項１から６いずれか１項に記載の加熱調理器の操作パネル。
【請求項８】
第二および第三の入力手段ダイヤル照明部を複数色で照明できるようにし、第二および第三の入力手段役割表示照明部を複数の役割それぞれを異なる照明色とし、第二および第三の入力手段ダイヤル照明部の照明色を、第二および第三の入力手段役割表示照明部の照明色と同色にした請求項７に記載の加熱調理器の操作パネル。
【請求項９】
第二および第三の入力手段役割表示照明部を複数色で照明できるようにし、第二および第三の入力手段ダイヤル照明部と、第二および第三の入力手段役割表示照明部の照明色を、選択された調理方法毎に照明色を同色にした請求項８に記載の加熱調理器の操作パネル。
【発明の詳細な説明】
【技術分野】
【０００１】
本発明は、加熱調理器の操作パネルに関するものであり、使用者にとって使用しやすいように操作性、視認性を向上させたものである。
【背景技術】
【０００２】
従来、この種の加熱調理器の操作パネルには、調理方法や調理時間、調理温度の設定をキースイッチやエンコーダなどの入力手段を用いて行っていた（例えば、特許文献１および２参照）。
【０００３】
図６は、特許文献１に記載された従来の加熱調理器の操作パネルを示すものである。図６に示すように、１は複数の調理方法ごとに調理方法名を記載した複数の調理方法選択キーをもつ第一の入力手段、２は複数のキーにて調理方法詳細設定や調理温度設定、調理仕上がり設定を行なう第二の入力手段、３は複数のキーにて調理時間設定を行なう第三の入力手段、５は調理をスタートさせるスタートキー、６は取消しキー、４は加熱条件や制御状態を表示する表示手段から構成されている。
【０００４】
さらに、近年では図７に示すように、調理温度や調理時間などの連続した調理条件入力を行う際には使用者が回転動作で連続的に入力できるように、第二の入力手段２や第三の入力手段３をエンコーダなどで構成して操作性の向上を図っている。
【０００５】
また、第二の入力手段２や第三の入力手段３のそれぞれに複数の異なる情報を入力する役割を持たせる、例えば第二の入力手段２では調理出力設定や調理温度設定などを入力する役割を持たせ、第三の入力手段３では調理仕上がり設定や調理時間設定などを入力する役割を持たせ、第二、第三の入力手段の近傍にそれぞれに対応した入力手段役割表示部７，９を設け、各役割表示を示す入力手段役割表示照明部８，１０を設け、調理方法に応じて第二の入力手段２と第三の入力手段３の入力手段役割表示ＬＥＤを表示させ、使用者に調理設定手順を示すようにしている。なお、入力手段役割表示部７，９の文字自体を入力手段役割表示照明部８，１０にて、必要な役割表示のみを点灯し、必要ない役割表示を消灯させたりもしていた。
【０００６】
図８は、特許文献２に記載された従来の加熱調理器の操作パネルを示すものである。図８に示すように、調理方法選択や調理時間、調理温度の入力を入力手段１で全て行うようにしている。例えばオーブン調理を設定する場合、入力手段１でオーブンを選択しセットキー１４にて選択確定後、同じく入力手段１で調理温度を入力してセットキー１４にて入力確定後、入力手段１で調理時間を入力してセットキー１４にて入力確定させるものもあった。
【特許文献１】特開２００３−２２７６１６号公報
【特許文献２】特開平０６−０８８６１８号公報
【発明の開示】
【発明が解決しようとする課題】
【０００７】
しかしながら、前記従来の構成では、加熱調理器の操作パネルとして構成できるスペースが有限であるなかで、入力手段としてのキー、エンコーダ等の入力手段や調理方法名や入力手段役割表示などの文字、表示手段を操作パネル内に配置すると、それぞれの配置が近接状態となり、かつキーやエンコーダの回転ダイヤルや文字、表示手段が小さくなる、操作パネルの広範囲に渡って入力手段や文字、表示手段等を配置すると使用者が所定の操作を行う際の手の移動量が長くなる、文字や表示手段の視認距離が長くなるなど、操作パネルとしての操作性、視認性を損なうことがあるという課題を有していた。
【０００８】
また、特許文献２にあるように種々の調理情報を１つの入力手段に集約することで操作パネル内のキー、エンコーダ等を減らすことは可能だが、調理情報を入力するたびに入力情報を確定させるセットキーを押す必要があり、操作手順は増加することとなる。
【０００９】
本発明は、前記従来の課題を解決するもので、操作パネルとしての操作性、視認性を向上させた加熱調理器の操作パネルを提供することを目的とする。
【課題を解決するための手段】
【００１０】
前記従来の課題を解決するために、本発明の加熱調理器の操作パネルは、複数の調理方法を選択する第一の入力手段と、ダイアル外周部の回転により調理出力設定や調理温度設定を入力する第二の入力手段と、ダイアル外周部の回転により調理仕上がり設定や調理時間設定などを入力する第三の入力手段と、調理開始を指示するスタートキーとを有し、第三の入力手段のダイヤル中央部にスタートキーを配置したものである。
【００１１】
これによって、従来使用していなかったダイヤル中央部スペースをキーとして有効に使用できるため、操作パネル平面のキースペースを減らすことができ、キーやダイヤル、文字を大きくできる。また、第三の入力手段にて調理情報を入力し終えた後に、調理スタートをさせるためにスタートキーを押すが、ダイヤル中央部にスタートキーを設けることで使用者の手の移動量も少なくでき、操作性・視認性の向上が図れる。ここでは、調理情報の入力手段を独立に複数持たせることで、各入力手段を別々に操作することができるため、入力手段を１つに集約したものなどに比べると各調理情報入力毎の入力確定操作が必要なくなり、操作手順の削減にもつながる。
【００１２】
また、本発明の加熱調理器の操作パネルは、１つの調理方法を選択するメニューキーを、第二の入力手段のダイヤル中央部に配置したものである。
【００１３】
ここで、複数の調理方法のうち使用者の使用頻度の高い調理方法をダイヤル中央部に配置させることで、他のメニューキーに比べ視認性を向上させることができるとともに、第二の入力手段のダイヤル中央部のスペースも有効に使用でき、更にキーやダイヤル、文字を大きくできる。
【００１４】
また、本発明の加熱調理器の操作パネルは、第二の入力手段にて入力する複数の役割を表示する第二の入力手段役割表示部と、複数の役割それぞれに対応した第二の入力手段役割表示照明部と、第三の入力手段にて入力する複数の役割を表示する第三の入力手段役割表示部と、複数の役割それぞれに対応した第三の入力手段役割表示照明部とを有し、第二の入力手段役割表示部と第二の入力手段役割表示照明部を第二の入力手段の近傍に配し、第三の入力手段役割表示部と第三の入力手段役割表示照明部を第三の入力手段の近傍に配して、第一の入力手段で選択した調理方法に応じた第二、第三の入力手段の役割を表示させるようにしている。
【００１５】
これによって、第二、第三の入力手段の役割を調理方法毎に表示させることができるため、使用者がダイヤルにて入力操作する時にどの役割、すなわちどの調理情報を入力しているかを認識および操作誘導をさせることができ、操作性向上ができる。
【００１６】
また、本発明の加熱調理器の操作パネルは、第二の入力手段のダイヤル中央部に第二の入力手段役割表示部と第二の入力手段役割表示照明部を配置し、第三の入力手段のダイヤル中央部に第三の入力手段役割表示部と第三の入力手段役割表示照明部を配置している。
【００１７】
これによって、入力手段すなわちダイヤルそのものに役割を照明表示させることができるため、ダイヤルの役割をより視覚的にも認識しやすくなる。
【００１８】
また、本発明の加熱調理器の操作パネルは、第一、第二、第三の入力手段から入力された調理情報を表示する表示手段を有し、操作パネルの左から右に第一の入力手段、第二の入力手段、表示手段、第三の入力手段を配するようにしている。
【００１９】
これによって、使用者が操作パネルを左から右に順番に操作するようにできるため、誘導操作にも適しており操作性向上につながる。
【００２０】
また、本発明の加熱調理器の操作パネルは、第二および第三の入力手段役割表示を、表示手段にて表示・非表示させるようにしている。
【００２１】
これによって、第二、第三の入力手段役割表示部および第二、第三の入力手段役割表示照明部を備えなくとも、第二および第三の入力手段の役割表示を使用者に報知させることができるので、キーやダイヤル、文字を更に大きくできる。
【００２２】
また、本発明の加熱調理器の操作パネルは、第二の入力手段のダイヤル近傍を照明する第二の入力手段ダイヤル照明部と、第三の入力手段のダイヤル近傍を照明する第三の入力手段ダイヤル照明部とを有し、第二の入力手段役割表示照明部の点灯に応じて第二の入力手段ダイヤル照明部を点灯させ、第三の入力手段役割表示照明部の点灯に応じて第三の入力手段ダイヤル照明部を点灯させるようにすることで、使用者にダイヤルにて入力手段を操作できる状態にあることを示し操作手順の誘導を促すことができる。
【００２３】
また、本発明の加熱調理器の操作パネルは、第二および第三の入力手段ダイヤル照明部を複数色で照明できるようにし、第二および第三の入力手段役割表示照明部を複数の役割それぞれを異なる照明色とし、第二および第三の入力手段ダイヤル照明部の照明色を、第二および第三の入力手段役割表示照明部の照明色と同色にすることで、入力情報に応じて色ごとに入力情報役割表示とダイヤルを照明でき、使用者が第二および第三の入力手段を操作する際にダイヤルがどの役割を持っているかを視覚的にも容易に確認することができる。
【００２４】
また、本発明の加熱調理器の操作パネルは、第二および第三の入力手段役割表示照明部を複数色で照明できるようにし、第二および第三の入力手段ダイヤル照明部と、第二および第三の入力手段役割表示照明部の照明色を、選択された調理方法毎に照明色を同色にすることで、調理方法に応じて照明する色を統一できどの調理方法を選択し調理情報入力操作しているかを視覚的に知らしめることも容易にできる。
【発明の効果】
【００２５】
本発明の加熱調理器の操作パネルは、操作パネル内のスペースを有効に使い、使用者にとって操作しやすいように操作性、視認性を向上させることができる。
【発明を実施するための最良の形態】
【００２６】
第１の発明は、複数の調理方法を選択する第一の入力手段と、ダイアル外周部の回転により調理出力設定や調理温度設定を入力する第二の入力手段と、ダイアル外周部の回転により調理仕上がり設定や調理時間設定などを入力する第三の入力手段と、調理開始を指示するスタートキーとを有し、第三の入力手段のダイヤル中央部にスタートキーを配置することにより、従来使用していなかったダイヤル中央部スペースをキーとして有効に使用できるため、操作パネル平面のキースペースを減らすことができ、キーやダイヤル、文字を大きくできる。また、第三の入力手段にて調理情報を入力し終えた後に、調理スタートをさせるためにスタートキーを押すが、ダイヤル中央部にスタートキーを設けることで使用者の手の移動量も少なくでき、操作性・視認性の向上が図れる。ここでは、調理情報の入力手段を独立に複数持たせることで、各入力手段を別々に操作することができるため、入力手段を１つに集約したものなどに比べると各調理情報入力毎の入力確定操作が必要なくなり、操作手順の削減にもつながる。
【００２７】
第２の発明は、特に、第１の発明の複数の調理方法を選択する第一の入力手段のうちの使用者の使用頻度の高い調理方法を選択するメニューキーを、第二の入力手段のダイヤル中央部に配置することにより、そのキーを他のメニューキーに比べ視認性を向上させることができるとともに、第二の入力手段のダイヤル中央部のスペースも有効に使用でき、更にキーやダイヤル、文字を大きくできる。
【００２８】
第３の発明は、第１の発明または第２の発明に対し、第二の入力手段にて入力する複数の役割を表示する第二の入力手段役割表示部と、複数の役割それぞれに対応した第二の入力手段役割表示照明部と、第三の入力手段にて入力する複数の役割を表示する第三の入力手段役割表示部と、複数の役割それぞれに対応した第三の入力手段役割表示照明部とを有し、第二の入力手段役割表示部と第二の入力手段役割表示照明部を第二の入力手段の近傍に配し、第三の入力手段役割表示部と第三の入力手段役割表示照明部を第三の入力手段の近傍に配して、第一の入力手段で選択した調理方法に応じた第二、第三の入力手段の役割を表示させることで、第二、第三の入力手段の役割を調理方法毎に表示させることができるため、使用者がダイヤルにて入力操作する時にどの役割、すなわちどの調理情報を入力しているかを認識および操作誘導をさせることができ、操作性向上ができる。
【００２９】
第４の発明は、特に、第３の発明の第二の入力手段のダイヤル中央部に第二の入力手段役割表示部と第二の入力手段役割表示照明部を配置し、第三の入力手段のダイヤル中央部に第三の入力手段役割表示部と第三の入力手段役割表示照明部を配置することで、入力手段すなわちダイヤルそのものに役割を照明表示させることができるため、ダイヤルの役割をより視覚的にも認識しやすくなる。
【００３０】
第５の発明は、特に、第１〜第４の発明のいずれか１つの発明に対し、第一、第二、第三の入力手段から入力された調理情報を表示する表示手段を有し、操作パネルの左から右に第一の入力手段、第二の入力手段、表示手段、第三の入力手段を配するようにすることで、使用者が操作パネルを左から右に順番に操作するようにできるため、誘導操作にも適しており操作性向上につながる。
【００３１】
第６の発明は、特に、第５の発明の表示手段にて、第二および第三の入力手段役割表示を、表示手段にて表示・非表示させるようにすることで、第二、第三の入力手段役割表示部および第二、第三の入力手段役割表示照明部を備えなくとも、第二および第三の入力手段の役割表示を使用者に報知させることができるので、キーやダイヤル、文字を更に大きくできる。
【００３２】
第７の発明は、特に、第１〜第６の発明のいずれか１つの発明に対して、第二の入力手段のダイヤル近傍を照明する第二の入力手段ダイヤル照明部と、第三の入力手段のダイヤル近傍を照明する第三の入力手段ダイヤル照明部とを有し、第二の入力手段役割表示照明部の点灯に応じて第二の入力手段ダイヤル照明部を点灯させ、第三の入力手段役割表示照明部の点灯に応じて第三の入力手段ダイヤル照明部を点灯させるようにすることで、使用者にダイヤルにて入力手段を操作できる状態にあることを示し操作手順の誘導を促すことができる。
【００３３】
第８の発明は、第７の発明の第二および第三の入力手段ダイヤル照明部を複数色で照明できるようにし、第二および第三の入力手段役割表示照明部を複数の役割それぞれを異なる照明色とし、第二および第三の入力手段ダイヤル照明部の照明色を、第二および第三の入力手段役割表示照明部の照明色と同色にすることで、入力情報に応じて色ごとに入力情報役割表示とダイヤルを照明でき、使用者が第二および第三の入力手段を操作する際にダイヤルがどの役割を持っているかを視覚的にも容易に確認することができる。
【００３４】
第９の発明は、第８の発明の第二および第三の入力手段役割表示照明部を複数色で照明できるようにし、第二および第三の入力手段ダイヤル照明部と、第二および第三の入力手段役割表示照明部の照明色を、選択された調理方法毎に照明色を同色にすることで、調理方法に応じて照明する色を統一できどの調理方法を選択し調理情報入力操作しているかを視覚的に知らしめることも容易にできる。
【００３５】
以下、本発明の実施の形態について、図面を参照しながら説明する。なお、この実施の形態によって本発明が限定されるものではない。
【００３６】
（実施の形態１）
図１は、本発明の第１の実施の形態における加熱調理器の操作パネルの構成図を示すものである。
【００３７】
図１において、複数の調理方法を選択するための第一の入力手段１と、ダイアル外周部を回転させて調理入力情報である調理出力設定と調理温度設定を入力する第二の入力手段２と、第二の入力手段２の入力情報役割を表示する第二の入力手段役割表示部７と、入力情報役割それぞれに対応した第二の入力手段役割表示照明部８と、ダイアル外周部を回転させて調理仕上がり設定や調理時間設定を入力する第三の入力手段３と、第三の入力手段３の入力情報役割を表示する第三の入力手段役割表示部９と、入力情報役割それぞれに対応した第三の入力手段役割表示照明部１０と、第二の入力手段２のダイヤル周囲を照明する第二の入力手段ダイヤル照明部１１と、第三の入力手段のダイヤル周囲を照明する第三の入力手段ダイヤル照明部１２と、調理開始を指示するスタートキー５と、１つの調理方法を選択するメニューキー１３とを有し、第二の入力手段のダイヤル中央部にメニューキーを配置し、第三の入力手段のダイヤル中央部にスタートキーを配置した構成である。
以上のように構成された加熱調理器の操作パネルについて、以下その動作、作用を説明する。
【００３８】
まず、電子レンジ加熱調理を行う場合を説明する。第一の入力手段１のレンジキーを押すと、第二の入力手段２のダイヤル外周を照明する第二の入力手段ダイヤル照明部１１が点灯または点滅し、同時に第二の入力手段役割表示部７の「出力設定」文字を照明する第二の入力手段役割表示照明部８が点灯する。また、第三の入力手段３のダイヤル外周を照明する第三の入力手段ダイヤル照明部１２が点灯または点滅し、同時に第三の入力手段役割表示部９の「時間設定」文字を照明する第三の入力手段役割表示照明部１０が点灯する。ここでは、第一の入力手段１のレンジキーを押したときに、「出力設定」および「時間設定」入力操作が可能になったことを使用者に知らしている。次の操作として、第二の入力手段２および第三の入力手段３のダイヤル外周部を回転させて調理情報を入力後、スタートキー５を押して調理を開始させる。
【００３９】
オーブン加熱調理については、第一の入力手段１のオーブンキーを押すと、第二の入力手段２のダイヤル外周を照明する第二の入力手段ダイヤル照明部１１が点灯または点滅し、同時に第二の入力手段役割表示部７の「温度設定」文字を照明する第二の入力手段役割表示照明部８が点灯する。また、第三の入力手段３のダイヤル外周を照明する第三の入力手段ダイヤル照明部１２が点灯または点滅し、同時に第三の入力手段役割表示部９の「時間設定」文字を照明する第三の入力手段役割表示照明部１０が点灯する。よって、調理方法に応じて第二および第三の入力手段２，３の役割、すなわち「出力設定」や「温度設定」、「時間設定」や「仕上がり」の役割を切替て表示して使用者に知らしめている。
【００４０】
ここでは、第二および第三の入力手段２，３については、ダイヤルの回転にて調理情報を入力するため、ダイヤルの外周部分のみ回転できるようにすればよく、ダイヤルの中央部についてはキー配置スペースとすることができる。そこで、第二の入力手段２のダイヤル中央部には、複数のメニューキーの内の１つのメニューキー１３、スチームあたためキーを配置し、第三の入力手段３のダイヤル中央部には、スタートキー５を配置している。
【００４１】
このような構成にすることにより、ダイヤル中央部をキースペースとして有効に使用でき、ダイヤル中央部以外に配置していたキーを減らせるため、ダイヤルそのものおよび他のキーや文字の大きさを大きくできる。また、ダイヤル中央部にスタートキー５を設けることで、第三の入力手段３のダイヤルを回転操作した後にスタートキー５を押す場合の使用者の手の移動量も少なくできることとなり、操作性・視認性の向上が図れる。なお、調理情報の入力手段を独立に複数（今回では第一、第二、第三の入力手段１，２，３の３つ）持つことで、各入力手段を別々に操作することができるため、例えば入力手段を１つの入力手段に集約しているものに比べると各調理情報入力毎の入力確定操作（従来例でいうと、図８のセットキー１４を調理情報入力確定ごとに押すという操作）が必要なくなり、操作手順の削減にもつながる。
【００４２】
また、第一、第二、第三の入力手段１，２，３と、その入力手段から入力された調理情報を表示する表示手段４の操作パネル上の配置を、左から右に第一の入力手段、第二の入力手段、表示手段、第三の入力手段を配することで、使用者が操作パネルを左から右に順番に操作するようにできるため、誘導操作にも適しており操作性向上につながる。
【００４３】
もちろん、操作パネルが縦長の構成である場合は、上から下に第一の入力手段、第二の入力手段、表示手段、第三の入力手段を配することで同様の効果を得ることができる。
【００４４】
また、第二の入力手段２のダイヤル近傍を照明する第二の入力手段ダイヤル照明部１１と、第三の入力手段３のダイヤル近傍を照明する第三の入力手段ダイヤル照明部１２を、第二および第三の入力手段役割表示照明部８，１０と同時に点灯・点滅させることで、使用者にダイヤルそのものが操作可能になったことをより認識させることができる。照明色については図３，４に示すように調理情報役割毎または調理方法毎に合わせることで使用者自身がどの操作を行っているか、どの調理の設定を行っているかもより認識できるため、さらに視認性向上につながる。
【００４５】
（実施の形態２）
図２は、本発明の第２の実施の形態における加熱調理器の操作パネルの構成図を示すものであり、実施の形態１と同様の機能を有するものは同じ符号を付して説明を省略する。
【００４６】
本実施の形態においては、第１の実施の形態と同様に、ダイヤル中央部を入力手段役割表示や役割表示の照明スペースとして有効に使用でき、ダイヤル中央部以外に配置していたキーを減らせるため、ダイヤルそのものおよび他のキーや文字の大きさを大きくできる。
【００４７】
（実施の形態３）
図３は、本発明の第３の実施の形態における加熱調理器の操作パネルの構成図を示すものであり、実施の形態１と同様の機能を有するものは同じ符号を付して説明を省略する。
【００４８】
本実施の形態においては、図３に示すように、第二および第三の入力手段２，３の役割を表示手段４にて表示・非表示を行い、第二、第三の入力手段役割表示部７，９および第二、第三の入力手段役割表示照明部８，１０を備えなくとも、第二および第三の入力手段２，３の役割表示を使用者に報知させることができるので、キーやダイヤル、文字を更に大きくできる。
【産業上の利用可能性】
【００４９】
以上のように、本発明の加熱調理器の操作パネルは、回転操作で入力するダイヤルの中央部のスペースをキーに使用し、操作パネル全体のスペースを有効に使うことで、キーやダイヤル、文字を大きくして、操作パネルの操作性・視認性を向上させることが可能となるので、他の家電機器の操作パネルの用途についても適用することができる。
【図面の簡単な説明】
【００５０】
【図１】本発明の実施の形態１における加熱調理器の操作パネルの構成図
【図２】本発明の実施の形態２における加熱調理器の操作パネルの構成図
【図３】本発明の実施の形態３における加熱調理器の操作パネルの構成図
【図４】本発明の実施の形態１における照明部の照明色対応表を示す図
【図５】本発明の実施の形態１における照明部の照明色対応表を示す図
【図６】従来の加熱調理器の操作パネルの構成図
【図７】従来の加熱調理器の操作パネルの構成図
【図８】従来の加熱調理器の操作パネルの構成図
【符号の説明】
【００５１】
１  第一の入力手段
２  第二の入力手段
３  第三の入力手段
４  表示手段
５  スタートキー
６  とりけしキー
７  第二の入力手段役割表示部
８  第二の入力手段役割表示照明部
９  第三の入力手段役割表示部
１０  第三の入力手段役割表示照明部
１１  第二の入力手段ダイヤル照明部
１２  第三の入力手段ダイヤル照明部
１３  メニューキー
【図１】
2006138546.tif 000003
【図２】
2006138546.tif 000004
【図３】
2006138546.tif 000005
【図４】
2006138546.tif 000006
【図５】
2006138546.tif 000007
【図６】
2006138546.tif 000008
【図７】
2006138546.tif 000009
【図８】
2006138546.tif 000010